(57)【要約】本発明は、ＣＣＣＨ（Ｃｏｍｍｏｎ  Ｃｏｎｔｒｏｌ  Ｃｈａｎｎｅｌ）論理チャネル／トランスポートチャネルを利用して移動端末とネットワーク間の制御情報伝送のための新しい構成を提供する装置及び発明に関し、前記新しい構成は、現在許容可能なメッセージより大きいメッセージを送信可能にし、前記新しい構成の利用可能性を表示することにより、前記新しい構成をサポートしない移動端末は影響を受けない。本発明は、詳細には、移動端末（ユーザ装置（ＵＥ））と論理チャネル／トランスポートチャネルＣＣＣＨを利用する無線ネットワーク制御装置（Ｒａｄｉｏ  Ｎｅｔｗｏｒｋ  Ｃｏｎｔｒｏｌｌｅｒ：ＲＮＣ）間の制御情報伝送のための新しい構成を提供する方法及び装置に関する。
2008501281.tif 000002
【特許請求の範囲】
【請求項１】
少なくとも制御情報の一部を含む第２メッセージを送信するための少なくとも１つの使用可能な構成を示す情報を含む第１メッセージを受信する段階と、
前記少なくとも１つの使用可能な構成から１つを選択する段階と、
前記選択された構成を利用して前記第２メッセージを送信する段階と
を含むことを特徴とする移動端末からネットワークへの制御情報伝送方法。
【請求項２】
前記少なくとも１つの使用可能な構成は、レガシー構成モード及びレガシー構成アイデンティティを含むことを特徴とする請求項１に記載の移動端末からネットワークへの制御情報伝送方法。
【請求項３】
前記少なくとも１つの使用可能な構成は、予め定義された構成モード及び予め定義された構成アイデンティティを含むことを特徴とする請求項１に記載の移動端末からネットワークへの制御情報伝送方法。
【請求項４】
前記予め定義された構成モードは、追加チャネル、既存チャネルに対して増加したメッセージブロックサイズ、新しいチャネルマッピング構成、及び新しいメッセージフォーマットの少なくとも１つを含むことを特徴とする請求項３に記載の移動端末からネットワークへの制御情報伝送方法。
【請求項５】
前記追加チャネルは、論理チャネルと物理チャネルの少なくとも１つを含むことを特徴とする請求項４に記載の移動端末からネットワークへの制御情報伝送方法。
【請求項６】
前記既存チャネルは、論理チャネルと物理チャネルの少なくとも１つを含むことを特徴とする請求項４に記載の移動端末からネットワークへの制御情報伝送方法。
【請求項７】
前記新しいチャネルマッピング構成は、論理チャネルの物理チャネルへのマッピングに関するものであることを特徴とする請求項４に記載の移動端末からネットワークへの制御情報伝送方法。
【請求項８】
前記第１メッセージは、共通チャネルで受信されることを特徴とする請求項１に記載の移動端末からネットワークへの制御情報伝送方法。
【請求項９】
前記第２メッセージを送信するための前記少なくとも１つの使用可能な構成を示す情報は、前記第１メッセージの拡張部分に含まれることを特徴とする請求項８に記載の移動端末からネットワークへの制御情報伝送方法。
【請求項１０】
前記第１メッセージは、専用チャネルで受信されることを特徴とする請求項１に記載の移動端末からネットワークへの制御情報伝送方法。
【請求項１１】
前記第１メッセージは、ＲＲＣ接続設定メッセージであることを特徴とする請求項１０に記載の移動端末からネットワークへの制御情報伝送方法。
【請求項１２】
前記少なくとも１つの使用可能な構成から１つを選択する段階は、
前記第２メッセージのサイズを判断する段階を含むことを特徴とする請求項１に記載の移動端末からネットワークへの制御情報伝送方法。
【請求項１３】
追加チャネル、既存チャネルに対して増加したメッセージブロックサイズ、新しいチャネルマッピング構成、及び新しいメッセージフォーマットの少なくとも１つを含む、メッセージ送信のための少なくとも１つの新しい構成を少なくとも１つの移動通信装置に提供する段階と、
前記少なくとも１つの新しい構成を示す情報を含む第１メッセージをネットワークから前記少なくとも１つの移動通信装置に伝送する段階と、
前記少なくとも１つの移動通信装置が前記少なくとも１つの新しい構成から１つを選択する段階と、
前記選択された構成を利用して少なくとも制御情報の一部を含む第２メッセージを前記少なくとも１つの移動通信装置から前記ネットワークに伝送する段階と
を含むことを特徴とする少なくとも１つの移動通信装置とネットワーク間の制御情報伝送方法。
【請求項１４】
前記追加チャネルは、論理チャネルと物理チャネルの少なくとも１つを含むことを特徴とする請求項１３に記載の少なくとも１つの移動通信装置とネットワーク間の制御情報伝送方法。
【請求項１５】
前記既存チャネルは、論理チャネルと物理チャネルの少なくとも１つを含むことを特徴とする請求項１３に記載の少なくとも１つの移動通信装置とネットワーク間の制御情報伝送方法。
【請求項１６】
前記新しいチャネルマッピング構成は、論理チャネルの物理チャネルへのマッピングに関するものであることを特徴とする請求項１３に記載の少なくとも１つの移動通信装置とネットワーク間の制御情報伝送方法。
【請求項１７】
前記第１メッセージは、共通チャネルで複数の移動通信装置に送信されることを特徴とする請求項１３に記載の少なくとも１つの移動通信装置とネットワーク間の制御情報伝送方法。
【請求項１８】
前記少なくとも１つの新しい構成を示す情報は、前記少なくとも１つの新しい構成を統合しない移動通信装置が前記情報を把握できないように、前記第１メッセージの拡張部分に含まれることを特徴とする請求項１７に記載の少なくとも１つの移動通信装置とネットワーク間の制御情報伝送方法。
【請求項１９】
前記第１メッセージは、専用チャネルで特定移動通信装置に送信されることを特徴とする請求項１３に記載の少なくとも１つの移動通信装置とネットワーク間の制御情報伝送方法。
【請求項２０】
前記第１メッセージは、ＲＲＣ接続設定メッセージであることを特徴とする請求項１９に記載の少なくとも１つの移動通信装置とネットワーク間の制御情報伝送方法。
【請求項２１】
前記少なくとも１つの新しい構成から１つを選択する段階は、
前記第２メッセージのサイズを判断する段階を含むことを特徴とする請求項１３に記載の少なくとも１つの移動通信装置とネットワーク間の制御情報伝送方法。
【請求項２２】
少なくとも制御情報の一部を含む第２メッセージを送信するための少なくとも１つの使用可能な構成を示す情報を含む第１メッセージを少なくとも１つの移動端末に送信する段階と、
前記少なくとも１つの使用可能な構成のうちの１つを利用して送信された前記第２メッセージを前記少なくとも１つの移動端末から受信する段階と
を含むことを特徴とする少なくとも１つの移動端末への制御情報伝送方法。
【請求項２３】
前記少なくとも１つの使用可能な構成は、レガシー構成モード及びレガシー構成アイデンティティを含むことを特徴とする請求項２２に記載の少なくとも１つの移動端末への制御情報伝送方法。
【請求項２４】
前記少なくとも１つの使用可能な構成は、予め定義された構成モード及び予め定義された構成アイデンティティを含むことを特徴とする請求項２２に記載の少なくとも１つの移動端末への制御情報伝送方法。
【請求項２５】
前記予め定義された構成モードは、追加チャネル、既存チャネルに対して増加したメッセージブロックサイズ、新しいチャネルマッピング構成、及び新しいメッセージフォーマットの少なくとも１つを含むことを特徴とする請求項２４に記載の少なくとも１つの移動端末への制御情報伝送方法。
【請求項２６】
前記追加チャネルは、論理チャネルと物理チャネルの少なくとも１つを含むことを特徴とする請求項２５に記載の少なくとも１つの移動端末への制御情報伝送方法。
【請求項２７】
前記既存チャネルは、論理チャネルと物理チャネルの少なくとも１つを含むことを特徴とする請求項２５に記載の少なくとも１つの移動端末への制御情報伝送方法。
【請求項２８】
前記新しいチャネルマッピング構成は、論理チャネルの物理チャネルへのマッピングに関するものであることを特徴とする請求項２５に記載の少なくとも１つの移動端末への制御情報伝送方法。
【請求項２９】
前記第１メッセージは、共通チャネルで複数の移動端末に送信されることを特徴とする請求項２２に記載の少なくとも１つの移動端末への制御情報伝送方法。
【請求項３０】
前記少なくとも１つの使用可能な構成を示す情報は、前記第１メッセージの拡張部分に含まれることを特徴とする請求項２９に記載の少なくとも１つの移動端末への制御情報伝送方法。
【請求項３１】
前記第１メッセージは、専用チャネルで特定移動端末に送信されることを特徴とする請求項２２に記載の少なくとも１つの移動端末への制御情報伝送方法。
【請求項３２】
前記第１メッセージは、ＲＲＣ接続設定メッセージであることを特徴とする請求項３１に記載の少なくとも１つの移動端末への制御情報伝送方法。
【請求項３３】
第２メッセージを送信するための少なくとも１つの使用可能な構成を示す情報を含む第１メッセージをネットワークから受信し、少なくとも制御情報の一部を含む前記第２メッセージを前記ネットワークに送信するＲＦモジュールと、
前記ネットワークから前記第１メッセージを受信し、前記ネットワークに前記第２メッセージを送信するアンテナと、
ユーザが情報を入力するキーパッドと、
前記第２メッセージを送信するための少なくとも１つの構成に関する情報を保存する保存部と、
ユーザに情報を伝達するディスプレイと、
前記第１メッセージを処理し、前記少なくとも１つの使用可能な構成から１つを選択し、前記選択された構成を利用して前記第２メッセージを送信する処理部と
を含むことを特徴とするネットワークへの制御情報伝送のための移動通信装置。
【請求項３４】
前記少なくとも１つの使用可能な構成は、レガシー構成モード及びレガシー構成アイデンティティを含むことを特徴とする請求項３３に記載のネットワークへの制御情報伝送のための移動通信装置。
【請求項３５】
前記少なくとも１つの使用可能な構成は、予め定義された構成モード及び予め定義された構成アイデンティティを含むことを特徴とする請求項３３に記載のネットワークへの制御情報伝送のための移動通信装置。
【請求項３６】
前記予め定義された構成モードは、追加チャネル、既存チャネルに対して増加したメッセージブロックサイズ、新しいチャネルマッピング構成、及び新しいメッセージフォーマットの少なくとも１つを含むことを特徴とする請求項３５に記載のネットワークへの制御情報伝送のための移動通信装置。
【請求項３７】
前記追加チャネルは、論理チャネルと物理チャネルの少なくとも１つを含むことを特徴とする請求項３６に記載のネットワークへの制御情報伝送のための移動通信装置。
【請求項３８】
前記既存チャネルは、論理チャネルと物理チャネルの少なくとも１つを含むことを特徴とする請求項３６に記載のネットワークへの制御情報伝送のための移動通信装置。
【請求項３９】
前記新しいチャネルマッピング構成は、論理チャネルの物理チャネルへのマッピングに関するものであることを特徴とする請求項３６に記載のネットワークへの制御情報伝送のための移動通信装置。
【請求項４０】
前記第１メッセージは、共通チャネルで受信されることを特徴とする請求項３３に記載のネットワークへの制御情報伝送のための移動通信装置。
【請求項４１】
前記少なくとも１つの使用可能な構成を示す情報は、前記第１メッセージの拡張部分に含まれることを特徴とする請求項４０に記載のネットワークへの制御情報伝送のための移動通信装置。
【請求項４２】
前記第１メッセージは、専用チャネルで受信されることを特徴とする請求項３３に記載のネットワークへの制御情報伝送のための移動通信装置。
【請求項４３】
前記第１メッセージは、ＲＲＣ接続設定メッセージであることを特徴とする請求項４２に記載のネットワークへの制御情報伝送のための移動通信装置。
【請求項４４】
前記プロセッサは、前記第２メッセージのサイズを判断して前記少なくとも１つの使用可能な構成から１つを選択することを特徴とする請求項３３に記載のネットワークへの制御情報伝送のための移動通信装置。
【請求項４５】
第２メッセージを送信するための少なくとも１つの構成を示す情報を含む第１メッセージを少なくとも１つの移動端末に送信する送信器と、
少なくとも制御情報の一部を含む前記第２メッセージを前記少なくとも１つの移動端末から受信する受信器と、
前記第１メッセージを生成し、前記少なくとも１つの使用可能な構成のうちの１つを利用して前記少なくとも１つの移動端末から送信された前記第２メッセージを処理する制御器と
を含むことを特徴とする少なくとも１つの移動端末に制御情報を伝送するためのネットワーク。
【請求項４６】
前記少なくとも１つの使用可能な構成は、レガシー構成モード及びレガシー構成アイデンティティを含むことを特徴とする請求項４５に記載の少なくとも１つの移動端末に制御情報を伝送するためのネットワーク。
【請求項４７】
前記少なくとも１つの使用可能な構成は、予め定義された構成モード及び予め定義された構成アイデンティティを含むことを特徴とする請求項４５に記載の少なくとも１つの移動端末に制御情報を伝送するためのネットワーク。
【請求項４８】
前記予め定義された構成モードは、追加チャネル、既存チャネルに対して増加したメッセージブロックサイズ、新しいチャネルマッピング構成、及び新しいメッセージフォーマットの少なくとも１つを含むことを特徴とする請求項４７に記載の少なくとも１つの移動端末に制御情報を伝送するためのネットワーク。
【請求項４９】
前記追加チャネルは、論理チャネルと物理チャネルの少なくとも１つを含むことを特徴とする請求項４８に記載の少なくとも１つの移動端末に制御情報を伝送するためのネットワーク。
【請求項５０】
前記既存チャネルは、論理チャネルと物理チャネルの少なくとも１つを含むことを特徴とする請求項４８に記載の少なくとも１つの移動端末に制御情報を伝送するためのネットワーク。
【請求項５１】
前記新しいチャネルマッピング構成は、論理チャネルの物理チャネルへのマッピングに関するものであることを特徴とする請求項４８に記載の少なくとも１つの移動端末に制御情報を伝送するためのネットワーク。
【請求項５２】
前記第１メッセージは、共通チャネルで複数の移動端末に送信されることを特徴とする請求項４５に記載の少なくとも１つの移動端末に制御情報を伝送するためのネットワーク。
【請求項５３】
前記少なくとも１つの使用可能な構成を示す情報は、前記第１メッセージの拡張部分に含まれることを特徴とする請求項５２に記載の少なくとも１つの移動端末に制御情報を伝送するためのネットワーク。
【請求項５４】
前記第１メッセージは、専用チャネルで特定移動端末に送信されることを特徴とする請求項３７に記載の少なくとも１つの移動端末に制御情報を伝送するためのネットワーク。
【請求項５５】
前記第１メッセージは、ＲＲＣ接続設定メッセージであることを特徴とする請求項５４に記載の少なくとも１つの移動端末に制御情報を伝送するためのネットワーク。
【発明の詳細な説明】
【技術分野】
【０００１】
本発明は、移動通信装置とネットワーク間のシグナリングを改善するための方法及び装置に関し、より詳しくは、移動端末（ユーザ装置（ＵＥ））と論理チャネル／トランスポートチャネルＣＣＣＨ（Ｃｏｍｍｏｎ  Ｃｏｎｔｒｏｌ  Ｃｈａｎｎｅｌ）を利用する無線ネットワーク制御装置（Ｒａｄｉｏ  Ｎｅｔｗｏｒｋ  Ｃｏｎｔｒｏｌｌｅｒ：ＲＮＣ）間の制御情報伝送のための新しい構成を提供する方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤としてより向上した無線通信サービスの提供を目標とする。
【０００３】
ＵＭＴＳの標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：  ３ＧＰＰ）というプロジェクトを構成し、現在もＵＭＴＳの詳細な標準仕様（Ｓｐｅｃｉｆｉｃａｔｉｏｎ）を作成中である。
【０００４】
ＵＭＴＳの効果的で迅速な技術開発のために、３ＧＰＰでは、ネットワーク構成要素とこれらの動作の独立性を考慮して、ＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：  ＴＳＧ）に分けて進めている。各ＴＳＧは、関連したエリア内で標準規格の開発、承認、及びその管理を担当するが、そのうち、無線接続ネットワーク（Ｒａｄｉｏ  Ａｃｃｅｓｓ  Ｎｅｔｗｏｒｋ：  ＲＡＮ）グループ（ＴＳＧ  ＲＡＮ）は、ＵＭＴＳにおいてＷＣＤＭＡ接続技術をサポートするための新しい無線接続ネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースに関する規格を開発する。
【０００５】
図１は、従来のＵＭＴＳネットワーク構造１を示す図である。１つの移動端末又はユーザ装置（ＵＥ）２は、ＵＴＲＡＮ６を介してコアネットワーク４に接続される。前記ＵＴＲＡＮ６は、前記ＵＥ２と前記コアネットワーク４間の通信のための無線接続ベアラの設定、維持、及び管理を行い、エンドツーエンドのサービス品質要求事項を充足させる。
【０００６】
前記ＵＴＲＡＮ６は、少なくとも１つの無線ネットワークサブシステム（Ｒａｄｉｏ  Ｎｅｔｗｏｒｋ  Ｓｕｂｓｙｓｔｅｍｓ：ＲＮＳ）８から構成され、各ＲＮＳ８は、前記コアネットワーク４とのアクセスポイントの役割を果たす１つの無線ネットワーク制御装置（ＲＮＣ）１０と、該当ＲＮＳ１０が管理する少なくとも１つのＮｏｄｅ  Ｂとからなる。前記ＲＮＣ１０は、論理的に、セルの複数のＵＥ２のための共有無線リソースを割り当て及び管理する制御ＲＮＣと、セルの特定ＵＥ２のための専用無線リソースを割り当て及び管理するサービングＲＮＣとに分類される。各Ｎｏｄｅ  Ｂ１２は、少なくとも１つのセルを管理する。
【０００７】
前記コアネットワーク４は、提供されるサービスのタイプによって、回線交換（Ｃｉｒｃｕｉｔ−ｓｗｉｔｃｈｅｄ：  ＣＳ）ドメインとパケット交換（Ｐａｃｋｅｔ−ｓｗｉｔｃｈｅｄ：  ＰＳ）ドメインとに大別される。例えば、一般的な音声電話サービスは回線交換サービスであり、インターネット接続によるウェブブラウジングサービスはパケット交換サービスに分類される。
【０００８】
前記ＣＳドメインは、ＵＴＲＡＮ６とのアクセスポイントの役割を果たす移動交換局（Ｍｏｂｉｌｅ  Ｓｗｉｔｃｈｉｎｇ  Ｃｅｎｔｅｒ：ＭＳＣ）１４と、外部ネットワークとのアクセスポイントの役割を果たすゲートウェイ移動交換局（ＧＭＳＣ）１６とから構成される。前記ＰＳドメインは、ＵＴＲＡＮ６とのアクセスポイントの役割を果たすＳＧＳＮ（Ｓｅｒｖｉｎｇ  ＧＰＲＳ  Ｓｕｐｐｏｒｔ  Ｎｏｄｅ）１８と、前記外部ネットワークとのアクセスポイントの役割を果たすＧＧＳＮ（Ｇａｔｅｗａｙ  ＧＰＲＳ  Ｓｕｐｐｏｒｔ  Ｎｏｄｅ）２０とから構成される。ＶＬＲ（Ｖｉｓｉｔｏｒ  Ｌｏｃａｔｉｏｎ  Ｒｅｇｉｓｔｅｒ）２２及びＨＬＲ（Ｈｏｍｅ  Ｌｏｃａｔｉｏｎ  Ｒｅｇｉｓｔｅｒ）２４は、ユーザ登録情報を管理する。
【０００９】
前記ＣＳドメインにおいて、前記コアネットワーク４のアクセスポイントは、Ｉｕ−ＣＳインタフェースを介したＭＳＣ１４である。回線交換サービスをサポートするために、前記ＲＮＣ１０は、前記コアネットワーク４のＭＳＣ１４に接続され、前記ＭＳＣは、他のネットワークとの接続を管理するＧＭＳＣ１６に接続される。
【００１０】
前記ＰＳドメインにおいて、前記コアネットワーク４のアクセスポイントは、Ｉｕ−ＰＳインタフェースを介したＳＧＳＮ１８である。ＰＳサービスをサポートするために、前記ＲＮＣ１０は、前記コアネットワーク４のＳＧＳＮ１８及びＧＧＳＮ２０に接続される。前記ＳＧＳＮ１８は、前記ＲＮＣ１０とのパケット通信をサポートし、前記ＧＧＳＮ２０は、インターネットのような他のパケット交換ネットワークとの接続を管理する。
【００１１】
ＵＥ２とＵＴＲＡＮ６間のインタフェースは、３ＧＰＰ無線アクセスネットワーク規格によって設定された無線インタフェースプロトコルにより把握できる。前記無線インタフェースプロトコルの従来の構造を図２に示す。
【００１２】
図２に示すように、従来の無線インタフェースプロトコルは、水平的には物理層（Ｌ１）と、データリンク層（Ｌ２）と、ネットワーク層（Ｌ３）とから構成され、垂直的にはユーザデータの転送のためのユーザプレーン（Ｕｓｅｒ  Ｐｌａｎｅ：  Ｕ−ｐｌａｎｅ）と、制御情報の転送のための制御プレーン（Ｃｏｎｔｒｏｌ  Ｐｌａｎｅ：  Ｃ−ｐｌａｎｅ）とから構成される。前記ユーザプレーンは、音声やＩＰパケットのようなユーザとのトラヒック情報を取り扱う領域であり、前記制御プレーンは、ネットワークとのインタフェース、呼の維持及び管理などに関する制御情報を取り扱う領域である。
【００１３】
前記プロトコル層は、開放型システム間相互接続（Ｏｐｅｎ  Ｓｙｓｔｅｍ  Ｉｎｔｅｒｃｏｎｎｅｃｔｉｏｎ：  ＯＳＩ）参照モデルの下位３層に基づいて第１層Ｌ１、第２層Ｌ２、第３層Ｌ３に区分される。前記第１層Ｌ１は、物理層である。前記第２層Ｌ２は、媒体アクセス制御（Ｍｅｄｉｕｍ  Ａｃｃｅｓｓ  Ｃｏｎｔｒｏｌ：ＭＡＣ）層、無線リンク制御（Ｒａｄｉｏ  Ｌｉｎｋ  Ｃｏｎｔｒｏｌ：  ＲＬＣ）層、ブロードキャスト／マルチキャスト制御（Ｂｒｏａｄｃａｓｔ／Ｍｕｌｔｉｃａｓｔ  Ｃｏｎｔｒｏｌ：ＢＭＣ）層、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層を含む。
【００１４】
前記物理（ＰＨＹ）層は、多様な無線伝送技術を用いて情報伝送サービスを上位層に提供し、トランスポートチャネルでＭＡＣ層に接続されている。
【００１５】
前記ＭＡＣ層は、論理チャネルとトランスポートチャネル間のマッピングを担当し、無線リソースの割り当て及び再割り当てのためにＭＡＣパラメータの割り当てサービスを提供する。前記ＭＡＣ層は、管理されるトランスポートチャネルのタイプによって、ＭＡＣ−ｂサブレイヤ、ＭＡＣ−ｄサブレイヤ、ＭＡＣ−ｃ／ｓｈサブレイヤ、及びＭＡＣ−ｈｓサブレイヤに区分される。
【００１６】
前記ＭＡＣ層は、論理チャネルで上位層である無線リンク制御（ＲＬＣ）層に接続される。伝送される情報の種類によって多様な論理チャネルが提供される。一般に、制御チャネルは、制御プレーンの情報を伝送するために使用され、トラヒックチャネルは、ユーザプレーンの情報を伝送するために使用される。
【００１７】
論理チャネルは、共有されるか否かによって、共通チャネル、又は専用チャネルであり得る。論理チャネルには、ＤＴＣＨ（Ｄｅｄｉｃａｔｅｄ  Ｔｒａｆｆｉｃ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＣＴＣＨ（Ｃｏｍｍｏｎ  Ｔｒａｆｆｉｃ  Ｃｈａｎｎｅｌ）、ＣＣＣＨ（Ｃｏｍｍｏｎ  Ｃｏｎｔｒｏｌ  Ｃｈａｎｎｅｌ）、ＢＣＣＨ（Ｂｒｏａｄｃａｓｔ  Ｃｏｎｔｒｏｌ  Ｃｈａｎｎｅｌ）、及びＰＣＣＨ（Ｐａｇｉｎｇ  Ｃｏｎｔｒｏｌ  Ｃｈａｎｎｅｌ）、又はＳＨＣＣＨ（Ｓｈａｒｅｄ  Ｃｈａｎｎｅｌ  Ｃｏｎｔｒｏｌ  Ｃｈａｎｎｅｌ）が含まれる。前記ＢＣＣＨは、ＵＥ２がコアネットワーク４に接続するために活用した情報を含む情報を提供する。ＵＴＲＡＮ６は、前記ＰＣＣＨを利用してＵＥ２に接続する。他の論理チャネルは図３に示す。
【００１８】
前記ＭＡＣ−ｂサブレイヤは、システム情報のブロードキャストを担当するトランスポートチャネルであるＢＣＨ（Ｂｒｏａｄｃａｓｔ  Ｃｈａｎｎｅｌ）を管理する。前記ＭＡＣ−ｃ／ｓｈサブレイヤは、ダウンリンクで複数の端末が共有するＦＡＣＨ（Ｆｏｒｗａｒｄ  Ａｃｃｅｓｓ  Ｃｈａｎｎｅｌ）あるいはＤＳＣＨ（Ｄｏｗｎｌｉｎｋ  Ｓｈａｒｅｄ  Ｃｈａｎｎｅｌ）などの共通トランスポートチャネルを管理し、アップリンクではＲＡＣＨ（Ｒａｄｉｏ  Ａｃｃｅｓｓ  Ｃｈａｎｎｅｌ）を管理する。従って、各ＵＥ２は、１つのＭＡＣ−ｃ／ｓｈエンティティを有する。
【００１９】
図４は、ＵＥ２の観点から論理チャネルとトランスポートチャネル間のマッピングを示し、図５は、ＵＴＲＡＮ６の観点から論理チャネルとトランスポートチャネル間のマッピングを示す。
【００２０】
前記ＭＡＣ−ｄサブレイヤは、ＵＥ２に対する専用トランスポートチャネルであるＤＣＨ（Ｄｅｄｉｃａｔｅｄ  Ｃｈａｎｎｅｌ）を管理する。前記ＭＡＣ−ｄサブレイヤは、該当ＵＥ２を管理するサービングＲＮＣ１０に位置し、各ＵＥ２には１つのＭＡＣ−ｄサブレイヤが存在する。
【００２１】
前記ＲＬＣ層は、ＲＬＣ動作モードにより、信頼できるデータ伝送をサポートし、上位層から伝送された複数のＲＬＣ  ＳＤＵ（Ｓｅｒｖｉｃｅ  Ｄａｔａ  Ｕｎｉｔ）に対する分割及び連結を行う。上位層からＲＬＣ  ＳＤＵを受信すると、前記ＲＬＣ層は、処理能力に応じた方式を用いて各ＲＬＣ  ＳＤＵのサイズを調節し、そのサイズが調節されたＲＬＣ  ＳＤＵにヘッダ情報を加えることによりデータユニットを生成する。
【００２２】
ＰＤＵ（Ｐｒｏｔｏｃｏｌ  Ｄａｔａ  Ｕｎｉｔ）という前記データユニットは、論理チャネルでＭＡＣ層に伝送される。前記ＲＬＣ層は、前記ＲＬＣ  ＳＤＵ及びＲＬＣ  ＰＤＵを保存するためのバッファを含む。前記ＲＬＣサービスは、ユーザプレーンにおける特定サービス（ｓｅｒｖｉｃｅ−ｓｐｅｃｉｆｉｃ）プロトコル層、すなわち、ブロードキャスト／マルチキャスト制御（ＢＭＣ）層、及びパケットデータコンバージェンスプロトコル（ＰＤＣＰ）層により使用され、また、制御プレーンにおけるシグナリング伝送のための無線リソース制御（Ｒａｄｉｏ  Ｒｅｓｏｕｒｃｅ  Ｃｏｎｔｒｏｌ：ＲＲＣ）層により使用される。
【００２３】
前記ＢＭＣ層は、コアネットワーク４から伝送されたＣＢ（Ｃｅｌｌ  Ｂｒｏａｄｃａｓｔ）メッセージをスケジューリングし、前記ＣＢメッセージが適切なセルにおいて該当ＵＥ２にブロードキャストされることを可能にする。メッセージ識別子、一連番号、及び符号化方式などのヘッダ情報を前記ＣＢメッセージに加えてＢＭＣメッセージを生成した後、前記ＲＬＣ層に送信する。
【００２４】
前記ＲＬＣ層は、ＲＬＣヘッダ情報を加えて形成されたメッセージを論理チャネルである共通トラヒックチャネルで前記ＭＡＣ層に伝送する。前記ＭＡＣ層は、前記共通トラヒックチャネルをトランスポートチャネルであるＦＡＣＨにマッピングさせる。前記トランスポートチャネルは、物理チャネルであるＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）にマッピングされる。
【００２５】
前記ＰＤＣＨ層は、ＲＬＣ層の上位に位置し、ＩＰｖ４やＩＰｖ６のようなネットワークプロトコルで伝送されるデータを相対的に狭い帯域幅を有する無線インタフェース上で効率的に伝送するために使用される。このために、前記ＰＤＣＰ層は、有線ネットワークにおいて使用される不必要な制御情報を減らす機能を果たし、この機能をヘッダ圧縮と言う。
【００２６】
無線リソース制御（ＲＲＣ）層は、第３層Ｌ３の最下部に位置し、制御プレーンにおいてのみ定義される。前記ＲＲＣ層は、ＵＥ２とＵＴＲＡＮ６間のネットワーク層Ｌ３の制御プレーンシグナリングを管理し、無線ベアラ（Ｒａｄｉｏ  Ｂｅａｒｅｒ：  ＲＢ）の設定、再設定、及び解除に関連して論理チャネル、トランスポートチャネル、及び物理チャネルの制御を担当する。前記無線ベアラは、ＵＥ２とＵＴＲＡＮ６間のデータ伝送のためにＲＬＣ層やＭＡＣ層のような下位層に提供されるサービスである。
【００２７】
ＵＥ２とＵＴＲＡＮ６間のインタフェース（Ｕｕ）は、無線ベアラの設定、再設定、及び解除（すなわち、ＵＥ２のＲＮＣ１０とＵＴＲＡＮ６のＲＮＣ１０間のデータ伝送を提供するサービス）のためのＲＲＣ層を含む。無線ベアラの設定とは、特定データサービスを提供するために必要なプロトコル層及びチャネルの特性を規定することにより、前記サービスのパラメータ及び動作方法を設定することである。
【００２８】
ＵＥのＲＲＣ層と該当ＲＮＣ１０のＲＲＣ層間に接続が設定されていると、ＵＥ２がＲＲＣ接続状態にあると言い、これにより、ＲＲＣメッセージの双方向伝送を提供できる。ＲＲＣ接続が設定されていないと、ＵＥ２がＲＲＣアイドル状態にあると言う。
【００２９】
電源が入ると、ＵＥ２は、デフォルトによりＲＲＣアイドルモードとなる。必要な場合、ＲＲＣアイドルモードのＵＥ２は、ＲＲＣ接続手順によりＲＲＣ接続モードに移行できる。
【００３０】
呼を発信するか、又は、ＲＮＣ１０からのページングメッセージに応答するためにアップリンクデータ伝送を必要とする場合、ＲＲＣ接続が設定される。前記ＲＲＣ接続によりＵＥ２がＵＴＲＡＮ６のＲＮＣ１０に接続される。
【００３１】
無線ベアラとトランスポートチャネル間のマッピングが異なる可能性が常に存在するわけではない。ＵＥ２とＵＴＲＡＮ６は、ＵＥの状態やＵＥとＵＴＲＡＮが現在行っている過程によって可能なマッピングを推論する。
【００３２】
異なるトランスポートチャネルは、異なる物理チャネルにマッピングされる。例えば、ＲＡＣＨトランスポートチャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングされる。物理チャネルの構成は、ＲＮＣ１０とＵＥ２間のＲＲＣシグナリング交換により決定される。
【００３３】
ＲＲＣモードにあるＵＥにはＲＲＣ接続が存在するため、ＵＴＲＡＮ６は、セル単位内で、例えば、ＲＲＣ接続モードのＵＥがどのセル又はセルの集合にあるか、及びどの物理チャネルをＵＥが監視しているかを判断できる。従って、ＵＥを効果的に制御できる。
【００３４】
これに対して、ＵＴＲＡＮ６は、アイドルモードにあるＵＥ２の有無を判断できない。アイドルモードにある端末の有無はコアネットワークによってのみ判断される。特に、前記コアネットワークは、ロケーションやルーティング領域のようにセルより大きい地域内にアイドルモードのＵＥ２が存在するか否かのみを検出できる。従って、アイドルモードＵＥ２の有無は、大きい地域内で判断される。音声やデータなどの無線通信サービスを受けるために、アイドルモードのＵＥ２は、ＲＲＣ接続モードに移行しなければならない。モードと状態間の可能な変化については図６に示す。
【００３５】
ＲＲＣ接続モードにあるＵＥ２は、ＣＥＬＬ＿ＦＡＣＨ状態、ＣＥＬＬ＿ＰＣＨ状態、ＣＥＬＬ＿ＤＣＨ状態、ＵＲＡ＿ＰＣＨ状態などの異なる状態にあることができる。前記状態により、ＵＥは、異なる動作を行って異なるチャネルを監視することができる。
【００３６】
例えば、ＣＥＬＬ＿ＤＣＨ状態のＵＥ２は、多様なチャネルのうち特定ＤＰＣＨにマッピングされるＤＣＨタイプのトランスポートチャネルを監視する。ＣＥＬＬ＿ＦＡＣＨ状態にあるＵＥ２は、特定Ｓ−ＣＣＰＣＨにマッピングされる複数のＦＡＣＨトランスポートチャネルを監視する。ＣＥＬＬ＿ＰＣＨ状態にあるＵＥ２は、特定Ｓ−ＣＣＰＣＨ物理チャネルにマッピングされるＰＩＣＨチャネル及びＰＣＨチャネルを監視する。
【００３７】
さらに、前記ＵＥは、状態によって異なる動作を行う。例えば、異なる条件により、ＣＥＬＬ＿ＦＡＣＨ状態にあるＵＥ２は、ＵＥ２があるセルから他のセルに移動する度に、Ｎｏｄｅ  ＢにＣｅｌｌ  Ｕｐｄａｔｅメッセージを送信してＵＥの位置変更を通知することにより、ＣＥＬＬ更新過程を開始し、ＦＡＣＨの監視を開始する。この過程は、前記ＵＥが他の状態からＣＥＬＬ＿ＦＡＣＨ状態に移行して有効なＣ−ＲＮＴＩを有しない場合、例えば、前記ＵＥがＣＥＬＬ＿ＰＣＨ状態又はＣＥＬＬ＿ＤＣＨ状態から移行したり、ＣＥＬＬ＿ＦＡＣＨ状態のＵＥが適用範囲を外れた場合にも行われる。
【００３８】
ＲＮＣ１０と異なるＵＥ２間の伝送を区分し、ＭＡＣ層で多重化できる異なる無線ベアラを区分するために、ＭＡＣは、伝送にヘッダを含む。論理チャネルのタイプによって、ＵＥ２がメッセージを送信するときに使用するＭＡＣヘッダのタイプ、ＵＭＴＳモード（ＦＤＤ又はＴＤＤ）、及び前記物理チャネルがマッピングされるトランスポートチャネルが決定される。前記ヘッダには特定ＵＥ２を識別するための識別子が含まれる。
【００３９】
異なるＵＥ２からの伝送及び異なるＵＥ２への伝送を区分するために、ＭＡＣヘッダに使用される異なる識別子がある。ＲＮＣ１０は、異なる識別子を割り当てる。
【００４０】
例えば、前記識別子としては、Ｃ−ＲＮＴＩ、Ｕ−ＲＮＴＩ、Ｓ−ＲＮＴＩ、及びＨ−ＲＮＴＩなどがある。Ｃ−ＲＮＴＩは、所定セルの所定ＵＥ２を識別するために使用され、Ｕ−ＲＮＴＩは、所定ＵＴＲＡＮ６システムにおけるＵＥ２を識別するために使用され、Ｓ−ＲＮＴＩは、ＤＳＣＨトランスポートチャネル上のＵＥ２を識別するために使用される。また、Ｈ−ＲＮＴＩは、所定ＨＳＤＰＡトランスポートチャネル上のＵＥ２を識別するために使用される。
【００４１】
ＨＳ−ＤＳＣＨトランスポートチャネルを除いた全てのトランスポートチャネルのためにＭＡＣヘッダに含まれたフィールドは図７に示す。ＴＣＴＦ（Ｔａｒｇｅｔ  Ｃｈａｎｎｅｌ  Ｔｙｐｅ  Ｆｉｅｌｄ）フィールドは、異なる論理チャネルが所定トランスポートチャネルにマッピングされるイベントの発生時に、前記所定トランスポートチャネルにマッピングされる論理チャネルのタイプを示す。ＵＥ−Ｉｄタイプは、ＵＥ２の識別子である。Ｃ／Ｔフィールドは設定された無線ベアラを示す。
【００４２】
ＴＣＴＦは、異なる論理チャネルを識別するために活用される。論理チャネルを識別することにより、ＭＡＣヘッダの残り部分の正確な形態を判断できる。例えば、ＣＣＣＨがＲＡＣＨ／ＦＡＣＨにマッピングされると、ＭＡＣヘッダには、ＭＡＣ  ＰＤＵの残り部分にＣＣＣＨタイプのトランスポートチャネルからのメッセージが含まれていることを通知する情報を伝送するＴＣＴＦフィールドのみが含まれる。
【００４３】
現在、ＵＭＴＳ標準は、シグナリング無線ベアラ０（ＳＲＢ０）がＣＣＣＨ論理チャネルのみを使用することを示している。従って、ＣＣＣＨ論理チャネルが使用される場合、Ｃ／Ｔフィールドを必要としない。
【００４４】
アップリンクでは、ＵＥ２の状態によって全てのトランスポートチャネルが利用できるわけではない。例えば、ＵＥ２がＣＥＬＬ＿ＦＡＣＨ状態にあるとき、ＵＥ２はＤＣＨトランスポートチャネルでないＲＡＣＨトランスポートチャネルを利用できる。
【００４５】
例えば、ＤＣＣＨをＲＡＣＨにマッピングさせる場合、ＵＥ２は有効なＣ−ＲＮＴＩを有していなければならない。しかしながら、ＵＥ２が新しいセルに移動してＣＥＬＬ更新手順を開始しようとする場合、ＵＥは有効なＣ−ＲＮＴＩを有しない。従って、ＵＥ２は、ＣＣＣＨ論理チャネルをＲＡＣＨにマッピングさせることのみが可能である。ＣＣＣＨメッセージを符号化するとき、コアネットワーク４により決定されるか、もしくはコアネットワーク４によりＵＥ２に割り当てられる「初期識別」、又はＵ−ＲＮＴＩが前記ＵＥ２を区別するためのメッセージに含まれる。
【００４６】
前記ＵＥ２に電源が入ってＲＲＣ接続を設定する場合も同一の状況が存在する。従って、前記ＵＥ２は、ＲＡＣＨトランスポートチャネルにマッピングされたＣＣＣＨ論理チャネルのみを利用してＲＲＣ接続要求メッセージを送信できる。
【００４７】
ＲＬＣ層は、ＴＭ（Ｔｒａｎｓｐａｒｅｎｔ  ｍｏｄｅ）、ＵＭ（Ｕｎａｃｋｎｏｗｌｅｄｇｅｄ  ｍｏｄｅ）、又はＡＭ（Ａｃｋｎｏｗｌｅｄｇｅｄ  ｍｏｄｅ）を使用することができる。前記モードによって、各伝送ブロックの伝送後にＲＬＣ  ＰＤＵのサイズを変更できる。ＴＭ及びＵＭにおいて、前記ＲＬＣ  ＰＤＵのサイズはそれぞれの伝送後に変更できる。ＡＭにおいては、ＰＤＵが再伝送されるため、前記ＰＤＵのサイズを動的に変更できず、単に、ＲＮＣ１０による再構成によってのみ変更可能である。
【００４８】
トランスポートチャネルは、予め定義されたサイズを有するＲＬＣ  ＰＤＵを管理する。物理チャネルの伝送ブロックサイズは、ＲＬＣ  ＰＤＵのサイズ及びＭＡＣヘッダのサイズにより定義される。異なるトランスポートチャネルにより異なる伝送ブロックサイズを得ることができ、また、所定のトランスポートチャネルによっても他のサイズを得ることができる。一般に、ＵＥ２が特定無線ベアラに対して使用できる伝送ブロックサイズは、ＲＮＣ１０により決定されるか、ＵＭＴＳ標準により決定される。
【００４９】
トランスポートチャネルは、ＲＡＣＨ、ＦＡＣＨ、ＤＣＨ、ＤＳＣＨ、又はＵＳＣＨなどのタイプ別に定義され、また、その属性別に定義される。一部の属性は動的であり、一部の属性は半静的（ｓｅｍｉ−ｓｔａｔｉｃ）である。
【００５０】
動的属性は、ＭＡＣ  ＰＤＵのサイズである伝送ブロックサイズと、１つの伝送時間間隔（Ｔｒａｎｓｍｉｓｓｉｏｎ  Ｔｉｍｅ  Ｉｎｔｅｒｖａｌ：ＴＴＩ）に伝送できるＭＡＣ  ＰＤＵの数を乗算したＭＡＣ  ＰＤＵのサイズである伝送ブロックセットサイズと、ＴＤＤのみに対する選択的な動的属性である伝送時間間隔とを含む。半静的属性は、ＦＤＤに対しては必須であり、ＴＤＤ  ＮＲＴベアラの動的部分に対しては選択的な伝送時間間隔、適用されたエラー防止方法、エラー防止のタイプ、ターボ符号、畳み込み符号、ＴＤＤに対してのみ半静的である非チャネル符号化（ｎｏ  ｃｈａｎｎｅｌ  ｃｏｄｉｎｇ）、符号化率、静的比率マッチングパラメータ、及びＣＲＣサイズを含む。
【００５１】
属性の半静的部分は、ＲＲＣ層が構成を変更するときにのみ変更できる。属性の動的部分は、多様な代案を提示するが、例えば、１つのＴＴＩ間は１つ、２つ、あるいは３つの伝送ブロックが伝送できる。また、伝送ブロックサイズは、各ＴＴＩ間に変更できる。
【００５２】
１セットの動的及び半静的部分の値をトランスポートフォーマット（Ｔｒａｎｓｐｏｒｔ  Ｆｏｒｍａｔ：ＴＦ）という。各トランスポートチャネルは、１つ以上のトランスポートフォーマットを使用する。例えば、１つのトランスポートチャネルのみが本発明において言及されているチャネルであるＰＲＡＣＨ（Ｐｈｙｓｉｃａｌ  Ｒａｎｄｏｍ  Ａｃｃｅｓｓ  Ｃｈａｎｎｅｌ）にマッピングされる。
【００５３】
ＰＲＡＣＨメッセージは、ＭＡＣ層が受信した伝送ブロックセットから生成されたデータ部分を含み、物理層で生成された制御情報を含む。前記制御情報は、伝送に利用される符号化及びトランスポートフォーマットを決定するために使用されるＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）を含む。図８は、ＲＡＣＨメッセージの構造を示す。
【００５４】
無線ベアラが論理チャネルを介してトランスポートチャネルにマッピングされる場合、既存の全てのトランスポートフォーマットの組み合わせが使用されるわけではない。使用可能なトランスポートフォーマットの組み合わせは、ＲＢマッピング情報により指示されたように、ＲＲＣプロトコルにより決定される。
【００５５】
現在、ＵＭＴＳ標準は、シグナリング無線ベアラ０（ＳＲＢ０）が常にＣＣＣＨ論理チャネルを介してＲＡＣＨトランスポートチャネルにマッピングされることを示している。また、ＵＭＴＳ標準は、ＵＥ２が、ＣＣＣＨでのメッセージ送信時に前記選択されたＲＡＣＨに対してリストアップされた第１トランスポートフォーマットのみを使用できることを示している。
【００５６】
一般に、ＲＡＣＨの第１トランスポートフォーマットは、１６８ビットの１つの伝送ブロックのみを伝送できる。しかしながら、ＣＣＣＨで伝送されたメッセージが大きいため、場合によっては、他の伝送ブロックサイズを使用する方がよいこともある。
【００５７】
ＣＣＣＨは、常にアップリンクでＴＭモードを使用するために決定される。ＴＭモードは、分割及びパディングをサポートしない。ＭＡＣヘッダは、常に２ビットからなるＴＣＴＦヘッダのみを含む。従って、ＭＡＣ  ＳＤＵで伝送されるＲＲＣメッセージは、要求されるＭＡＣ  ＳＤＵのサイズを満たさなければならない。
【００５８】
ＲＲＣメッセージは、ＡＳＮ．１符号化として知られている特定符号化を利用して生成される。図９は、ＣＣＣＨに対するＲＲＣメッセージのＡＳＮ．１符号化を示す。
【００５９】
Ｒ９９部と拡張部を形成する異なる情報要素は、ＡＳＮ．１符号化器を利用して符号化されて基本的な生成物を生成する。前記符号化器は、パディングビットを追加してビット数が８の倍数になることを可能にする。ＲＲＣ  ＰＤＵサイズをＴＭでのＣＣＣＨメッセージに対するＭＡＣ  ＳＤＵのサイズに適用するためにＲＲＣ層はパディングをさらに追加する。
【００６０】
ＣＣＣＨチャネルは、アップリンクでセル更新メッセージ（Ｃｅｌｌ  Ｕｐｄａｔｅ  Ｍｅｓｓａｇｅ）、ＲＲＣ接続要求メッセージ、及びＵＲＡ更新メッセージを送信するために使用される。前記メッセージは、追加される情報によってサイズが異なる。さらに、前記メッセージは、周辺セルに対する測定結果に関する情報、例えば、ＲＡＣＨ上での測定結果のような品質及びタイミング情報を含む。
【００６１】
従来の方法は、ＣＣＣＨ論理チャネルで伝送されたメッセージのサイズを適用することにより、ＭＡＣヘッダを有するＲＬＣ  ＰＤＵをＲＡＣＨにおいて使用される伝送ブロック以内に合わせる。ＣＣＣＨ論理チャネルでのメッセージ送信の従来の方式１は図１０に示す。
【００６２】
図１０に示すように、既存のＰＲＡＣＨ構成に関する情報は、ＵＥ２に伝送される（Ｓ１０）。ＵＥ２は、前記既存のＰＲＡＣＨ構成に基づいてアルゴリズムによってＰＲＡＣＨを選択する（Ｓ１２）。ＵＥ２は、ＰＲＡＣＨ上での伝送のための全ての情報要素を含むメッセージを生成する（Ｓ１４）。ＵＥ２は、前記メッセージサイズを該当ＲＡＣＨの第１トランスポートフォーマットの伝送ブロックサイズと比較し、前記メッセージが前記伝送ブロックサイズ以内になるまで測定情報を削除することによりメッセージサイズを変更する（Ｓ１６）。ＵＥ２は、前記ＰＲＡＣＨで前記変更されたメッセージを送信する（Ｓ１８）。
【００６３】
ＵＭＴＳシステムでは、１セルに複数のＰＲＡＣＨを構成できる。ＲＲＣ−アイドルモード又はＲＲＣ−接続モードにあるＵＥ２は、システム情報ブロックからＰＲＡＣＨチャネルのリストを読み出す。各ＰＲＡＣＨチャネルは、使用可能なトランスポートフォーマットのリストを含む。
【００６４】
ＴＤＤ（Ｔｉｍｅ  Ｄｉｖｉｓｉｏｎ  Ｄｕｐｌｅｘ）、ＴＴＩ、又は伝送ブロックの伝送期間において、トランスポートフォーマットによってＰＲＡＣＨが変化することがある。ＵＥ２は、常に１．２８  ＭＣＰＳ  ＴＤＤモードにおいて伝送ブロックセットの伝送に適したトランスポートフォーマットの最大のＴＴＩを選択する。
【００６５】
ＦＤＤ（Ｆｒｅｑｕｅｎｃｙ  Ｄｉｖｉｓｉｏｎ  Ｄｕｐｌｅｘ）において、各ＰＲＡＣＨチャネルは、所定ＴＴＩを有する。各トランスポートフォーマットは、様々な特性のうち伝送ブロックサイズ及び１つのＴＴＩで伝送できる伝送ブロックの数により特徴付けられる。
【００６６】
ＰＲＡＣＨを選択するために、ＵＥ２は、まず適用するＴＴＩを選択しなければならない。ＴＴＩが選択されると、ＵＥ２は、前記選択されたＴＴＩの長さを使用する既存のＰＲＡＣＨから任意に１つのＰＲＡＣＨを選択する。異なるＴＴＩの長さを有する複数のＰＲＡＣＨが存在する場合、図１１に示す方法５０によりＴＴＩの長さを選択する。その他には、構成されたＰＲＡＣＨのＴＴＩを活用する。
【００６７】
図１１を参照すると、ＵＥ２は、段階Ｓ５２で、使用可能なトランスポートフォーマットに基づいて１０ｍｓｅｃ．ＴＴＩを有するトランスポートフォーマットを選択する。全てのＲＡＣＨによりサポートされるトランスポートフォーマットから、１０ｍｓｅｃ．のＴＴＩを有し、全ての構成されたＲＬＣサイズの単一伝送ブロックに該当するフォーマットを維持する。
【００６８】
例えば、ＲＢ０の場合に適用できるＲＬＣサイズは、ＲＲＣ−アイドルモードにおいて維持され、明白なＲＢマッピング情報で構成されたＲＬＣサイズは、ＲＲＣ−接続モードにおいて維持される。１つ以上のトランスポートフォーマットが適用可能な場合、ＵＥ２は、使用可能なフォーマットのいずれか１つを選択する。
【００６９】
好ましくは、ＵＥ２は、次の伝送時に使用するトランスポートフォーマットを選択する。このような情報がない場合は、最大のＲＬＣサイズに該当するトランスポートフォーマットを選択する。
【００７０】
段階Ｓ５４で、ＵＥ２は、ＲＡＣＨに設定されており、所定トランスポートフォーマットを有する伝送ブロックセットを伝送するために必要な伝送電力を推定することにより電力マージンを計算する。前記計算に利用されるアルゴリズムは、３ＧＰＰ標準により明示されており、様々な入力パラメータのうちＴＴＩ、伝送ブロックサイズ、及び伝送される伝送ブロックの数などを使用する。
【００７１】
段階Ｓ５６で、前記計算された電力マージンを６ｄＢと比較する。前記電力マージンが６ｄＢより大きい場合、段階Ｓ５８で１０ｍｓｅｃ．ＴＴＩが選択され、６ｄＢより大きくない場合、段階Ｓ６０で２０ｍｓｅｃ．ＴＴＩが選択される。
【００７２】
ＣＣＣＨメッセージのサイズが前記従来の方式１及び５０の使用には大きすぎる場合、ＵＥ２は、品質及びタイミング情報がＲＮＣ１０において必要な場合であっても、周辺セルの測定結果、例えば、ＲＡＣＨでの測定結果に関する情報を完全に削除する。前記品質及びタイミング情報がない場合、ＵＥ２が他のセルに移動するときにＲＮＣ１０との接続を設定することができない。ＵＥ２は、データを伝送できない可能性があり、現在セルが割り込まれるか、又は新しい呼が開始できない可能性もある。
【００７３】
ＵＭＴＳ標準は、常にＵＥ２が前記選択されたＰＲＡＣＨの第１伝送ブロックサイズを使用するように制限するため、ＳＲＢ０に対して使用可能な伝送ブロックサイズは１つのみ存在する。従って、前記メッセージのサイズは、伝送ブロックサイズに制限される。
【００７４】
前述したように、ＰＲＡＣＨの第１トランスポートフォーマットのサイズを変更する方式が提案されたが、全ての移動端末がＳＲＢ０のサイズの変更をサポートするという保障はない。従って、ＰＲＡＣＨにおいて使用される他の伝送ブロックサイズをサポートしない移動端末が存在するかぎり、アップリンクでＣＣＣＨを介して伝送されるメッセージをＵＭＴＳ標準の新しいＲｅｌｅａｓｅに拡張させて使用することはできない。
【００７５】
従って、現在使用可能な伝送ブロックサイズより大きいメッセージがＣＣＣＨチャネルで伝送されるように新しいＵＭＴＳ標準に準拠し、前記新しいＵＭＴＳ標準に準拠しない移動端末の動作には影響を与えない方法及び装置を必要とする。本発明は、このような必要性により提案された。
【発明の開示】
【発明が解決しようとする課題】
【００７６】
従って、本発明の目的は、移動通信装置とネットワーク間のシグナリング改善方法及び装置を提供することにある。特に、本発明は、ＣＣＣＨ論理チャネル／トランスポートチャネルを利用して移動端末とネットワーク間に制御情報を伝送するための新しい構成を提供し、前記新しい構成をサポートしない移動端末の動作に影響を与えないようにする方法及び装置に関する。
【００７７】
本発明のさらなる長所及び利点は後述する発明の詳細な説明に一部が記述されており、一部は前記説明により明確になるか、又は、本発明の適用により理解されるであろう。本発明の目的と長所は、特に、発明の詳細な説明及び請求の範囲並びに添付図面に開示された構成により実現及び達成される。
【課題を解決するための手段】
【００７８】
このような目的を達成するために、本発明は、移動通信装置とネットワーク間のシグナリング改善方法及び装置を提供し、特に、ＣＣＣＨ論理チャネル／トランスポートチャネルを利用して移動端末とネットワーク間に制御情報を伝送するための新しい構成を提供し、前記新しい構成を使用できることを示す指示がネットワークから提供されることにより、前記新しい構成をサポートしない移動端末が既存に使用した構成を続けて使用できるようにする。
【００７９】
本発明の一態様において、ネットワークに制御情報を伝送するための方法が提供される。前記方法は、メッセージを送信するための１つ以上の使用可能な構成を示す情報メッセージを受信する段階と、前記１つ以上の使用可能な構成から１つを選択する段階と、前記選択された構成を活用してメッセージを送信する段階とを含む。
【００８０】
好ましくは、前記使用可能な構成には、レガシー構成モード及びレガシー構成アイデンティティが含まれる。前記レガシー構成モードは、本発明が提供する新しい構成をサポートしない移動端末が活用できるメッセージを送信するための構成モードである。
【００８１】
好ましくは、前記使用可能な構成には、予め定義された構成モード及び予め定義された構成アイデンティティが含まれる。前記予め定義された構成モードは、本発明が提供するメッセージを送信するための新しい構成である。
【００８２】
好ましくは、前記本発明が提供する新しい構成には、追加チャネルと、既存チャネルに対して増加したメッセージブロックサイズと、新しいチャネルマッピング構成及び／又は新しいメッセージフォーマットとが含まれる。好ましくは、前記使用可能な構成から１つを選択することは、送信されるメッセージのサイズに基づいて行われる。
【００８３】
好ましくは、新しい論理チャネル及び／又は新しい物理チャネルが提供される。また、増加したメッセージサイズが既存チャネル、好ましくは、論理チャネル及び／又は物理チャネルに対して提供できることを特徴とする。また、新しいチャネルマッピング構成は、論理チャネルの物理チャネルへのマッピングに関連している。
【００８４】
好ましくは、前記メッセージ送信のための使用可能な構成を示す前記情報メッセージは、共通チャネルで受信される。好ましくは、前記使用可能な構成を示す情報は、前記情報メッセージの拡張部に含まれる。
【００８５】
好ましくは、メッセージを送信するための使用可能な構成を示す情報メッセージは、専用チャネルで受信される。好ましくは、前記情報メッセージは、ＲＲＣ接続設定メッセージである。
【００８６】
本発明の他の態様において、少なくとも１つの移動通信装置とネットワーク間の制御情報伝送方法が提供される。前記方法は、１つ以上の移動通信装置にメッセージ送信のために、追加チャネルと、既存チャネルに対して増加したメッセージブロックサイズと、新しいチャネルマッピング構成及び／又は新しいメッセージフォーマットとを含む新しい構成を提供する段階と、前記新しい構成を示す情報メッセージをネットワークから１つ以上の移動通信装置に送信する段階と、前記移動通信装置が前記新しい構成から１つを選択する段階と、前記移動通信装置から前記選択された構成を活用して前記ネットワークにメッセージを送信する段階とを含む。
【００８７】
好ましくは、新しい論理チャネル及び／又は新しい物理チャネルが提供される。また、増加したメッセージサイズは、既存チャネル、好ましくは、論理チャネル及び／又は物理チャネルに対して提供される。新しいチャネルマッピング構成は、論理チャネルの物理チャネルへのマッピングに関連している。好ましくは、前記新しい構成から１つを選択することは、送信されるメッセージのサイズに基づいて行われる。
【００８８】
メッセージ送信のための新しい構成を示す前記情報メッセージは、共通チャネルで複数の移動通信装置に送信される。好ましくは、前記使用可能な構成を示す情報を前記情報メッセージの拡張部に含めることで、前記新しい構成をサポートしない移動通信装置が前記情報を解釈できないようにする。
【００８９】
メッセージ送信のための前記新しい構成を示す情報メッセージは、専用チャネルで特定移動通信装置に送信される。好ましくは、前記情報メッセージは、ＲＲＣ接続設定メッセージである。
【００９０】
本発明の他の態様において、ネットワークに制御情報を伝送する方法を提供する。前記方法は、メッセージ送信のための１つ以上の使用可能な構成を示す情報メッセージを送信する段階と、前記使用可能な構成を活用して送信されたメッセージを受信する段階とを含む。
【００９１】
好ましくは、前記使用可能な構成には、レガシー構成モード及びレガシー構成アイデンティティが含まれる。前記レガシー構成モードは、本発明が提供する新しい構成をサポートしない移動端末が活用できるメッセージを送信するための構成モードである。
【００９２】
好ましくは、前記使用可能な構成には、予め定義された構成モード及び予め定義された構成アイデンティティが含まれる。前記予め定義された構成モードは、本発明が提供するメッセージを送信するための新しい構成である。
【００９３】
好ましくは、前記本発明が提供する新しい構成には、追加チャネルと、既存チャネルに対して増加したメッセージブロックサイズと、新しいチャネルマッピング構成及び／又は新しいメッセージフォーマットとが含まれる。好ましくは、前記情報メッセージは、ＲＲＣ接続設定メッセージである。
【００９４】
好ましくは、新しい論理チャネル及び／又は新しい物理チャネルが提供される。また、増加したメッセージサイズが、既存チャネル、好ましくは、論理チャネル及び／又は物理チャネルに対して提供できることを特徴とする。また、新しいチャネルマッピング構成は、論理チャネルの物理チャネルへのマッピングに関連している。
【００９５】
好ましくは、前記メッセージ送信のための使用可能な構成を示す前記情報メッセージは、共通チャネルで複数の移動端末に送信される。好ましくは、前記使用可能な構成を示す情報は、前記情報メッセージの拡張部に含まれる。
【００９６】
好ましくは、前記メッセージ送信のための使用可能な構成を示す前記情報メッセージは、専用チャネルで特定移動端末に送信される。好ましくは、前記情報メッセージは、ＲＲＣ接続設定メッセージである。
【００９７】
本発明の他の態様において、ネットワークに制御情報を伝送するための移動通信装置が提供される。前記移動通信装置は、ＲＦモジュール、アンテナ、キーパッド、ディスプレイ、保存部、及び処理部を含む。
【００９８】
前記アンテナ及びＲＦモジュールは、ネットワークから情報メッセージを受信して前記ネットワークにメッセージを送信する。前記キーパッドは、ユーザが情報を入力できるようにする。前記ディスプレイは、ユーザに情報を伝達する。前記保存部は、１つ以上の構成に関する情報を保存する。前記処理部は、メッセージ送信のために使用可能な構成を示す情報メッセージを処理し、前記使用可能な構成から１つを選択した後、前記選択された構成を活用してメッセージを送信する本発明の方法を実施する。
【００９９】
本発明の他の態様において、１つ以上の移動端末に制御情報を伝送するネットワークが提供される。前記ネットワークは、送信器、受信器、及び制御器を含む。
【０１００】
前記送信器は、１つ以上の移動端末に情報メッセージを送信する。前記受信器は、１つ以上の移動端末からメッセージを受信する。前記制御器は、メッセージ送信のための１つ以上の使用可能な構成を示す情報メッセージを生成し、前記使用可能な構成のうちの１つを活用して１つ以上の移動端末から送信されたメッセージを処理する本発明の方法を実施する。
【０１０１】
下記の本発明の一般的な記載及び詳細な記載は例示的であり、請求項に指摘された本発明のさらなる説明のために提供されたものである。
【発明を実施するための最良の形態】
【０１０２】
本発明は、ＣＣＣＨ論理チャネル／トランスポートチャネルを利用して移動端末（例えば、ユーザ装置（ＵＥ））と無線ネットワーク制御装置（ＲＮＣ）間の制御情報伝送のために新しい構成を提供することで、前記新しい構成をサポートしない移動端末の動作に影響を与えないようにする方法及び装置を提供する。本発明は、移動端末に関連して説明されているが、移動通信装置とネットワーク間に制御情報を伝送するための新しい構成を提供しようとする場合はいつでも活用できる。
【０１０３】
添付図面に記述された本発明の好ましい実施形態を参照して本発明を詳細に説明し、全ての図面において、同一構成要素には同一の又は類似した参照番号を使用する。
【０１０４】
本発明は、ＳＲＢ０のＲＲＣメッセージを送信するために新しい構成を使用する方法を提案する。前記新しい構成は、現在伝送に許容されているメッセージより大きいメッセージをＣＣＣＨで伝送可能にする。追加情報を含むメッセージのようにサイズの大きいメッセージをＣＣＣＨで伝送可能にすることにより、ＲＡＣＨ上で測定された結果のような必須品質及びタイミング情報がＣＣＣＨで伝送されたメッセージから削除されることを防止できる。新しい構成を実現するための方法は多様である。
【０１０５】
前記新しい構成の第１実施形態においては、追加ＰＲＡＣＨの使用をサポートするＵＥ２のみにより使用される新しい物理ＲＡＣＨチャネル（ＰＲＡＣＨ）を提供する。前記新しいＰＲＡＣＨを既存のシステム情報メッセージを活用して示すことにより、前記新しいＰＲＡＣＨの使用をサポートするＵＥ２のみが前記新しいチャネルを利用してＣＣＣＨで前記新しいＰＲＡＣＨ上にメッセージを送信する。
【０１０６】
前記新しい構成の第２実施形態においては、ＵＥ２が同一のＲＡＣＨ上で現在使用中のトランスポートフォーマットとは異なるトランスポートフォーマットを利用できるようにしてＣＣＣＨでメッセージを送信可能にする。前記新しい論理チャネルは、使用可能なＲＡＣＨチャネルのいずれのトランスポートフォーマットの組み合わせにもマッピングできるＥＣＣＣＨ（Ｅｎｈａｎｃｅｄ  Ｃｏｍｍｏｎ  Ｃｏｎｔｒｏｌ  Ｃｈａｎｎｅｌ）で実現される。前記ＲＮＣ１０は、ＵＥ２が前記Ｅ（Ｅｎｈａｎｃｅｄ）−ＣＣＣＨを利用できるか否かを既存のシステム情報メッセージ、ＲＲＣメッセージ、又はＲＮＣからＵＥ２に伝送される他のメッセージにより示すことができる。
【０１０７】
第３実施形態においては、既存のＲＡＣＨの他の伝送ブロックサイズでＣＣＣＨチャネルのマッピングを可能にする。ＰＲＡＣＨのマッピングのみが変更できるので、ＵＥ２やコアネットワーク４の構造を変更する必要はない。
【０１０８】
第３実施形態により、ＲＮＣ１０は、ＵＥ２がＣＣＣＨをＰＲＡＣＨにマッピングできるか否か、いずれのＰＲＡＣＨ伝送ブロックサイズでも許容できるか、特定ＰＲＡＣＨ伝送ブロックサイズのみが許容できるかを信号で通知する。前記ＲＮＣ１０は、許容されたＰＲＡＣＨ伝送ブロックサイズリストにエントリの数を表示する。また、ＣＣＣＨチャネルのＰＲＡＣＨ上へのマッピングがＲＮＣ１０からの指示がなくても許容できるようにする。
【０１０９】
第４実施形態においては、新しいメッセージフォーマットの活用を可能にする。前記新しいメッセージフォーマットは、最も必要なデータのみを含めるために利用できる。例えば、ＳＴＡＲＴ値は、Ｉｎｉｔｉａｌ  Ｄｉｒｅｃｔ  Ｔｒａｎｓｆｅｒ  Ｍｅｓｓａｇｅにより伝送されるので、ＲＲＣ接続要求メッセージにおいては省略できる。
【０１１０】
図１２は、本発明の一実施形態によるＰＲＡＣＨでのメッセージ送信のための構成を選択する方法１００を示す。前記方法１００は、使用可能なＰＲＡＣＨ構成を示す情報をＵＥ２に伝送する段階と（Ｓ１０２）、前記使用可能なＰＲＡＣＨ構成から１つを選択する段階と（Ｓ１０４）、前記選択されたＰＲＡＣＨ構成を利用して伝送されるメッセージを生成する段階と（Ｓ１０６）、必要な場合、前記生成されたメッセージを伝送ブロックサイズに適用する段階と（Ｓ１０８）、前記ＰＲＡＣＨで前記メッセージを送信する段階（Ｓ１１０）とを含む。
【０１１１】
段階Ｓ１０２で、ＲＮＣ１０は、使用可能なＰＲＡＣＨ構成を示す情報をＵＥ２に伝送する。前記使用可能なＰＲＡＣＨ構成は、全てのＵＥ２によりサポートされる既存の構成又はレガシー構成及び／又は全てのＵＥ２によりサポートされるわけではない予め定義された新しい構成又は拡張された構成を含む。
【０１１２】
前記拡張されたＰＲＡＣＨ構成は、以前に定義された４つの実施形態（すなわち、新しい物理ＲＡＣＨチャネル、ＥＣＣＣＨのような新しい論理チャネル、ＣＣＣＨチャネルの既存ＲＡＣＨの他の伝送ブロックサイズ上のマッピング及び／又は新しいデータフォーマット）のうち１つ以上を統合する。前記使用可能なＰＲＡＣＨ構成の指示には、各使用可能なレガシー構成及び各使用可能な予め定義された構成の構成モード及び構成アイデンティティが含まれる。
【０１１３】
段階Ｓ１０４で、ＵＥ２は、既存のＰＲＡＣＨ構成及び拡張されたＰＲＡＣＨ構成を含むアルゴリズムを行って前記使用可能なＰＲＡＣＨ構成から１つを選択する。前記既存のＰＲＡＣＨ構成と前記１つ以上の拡張されたＰＲＡＣＨ構成間の選択は、全てのメッセージデータを収容する伝送ブロックサイズを許容し、最小量のオーバーヘッドを追加する前記ＰＲＡＣＨ構成を選択するために伝送されるメッセージのサイズに基づく。
【０１１４】
好ましくは、ＵＥ２は、まず既存のＰＲＡＣＨ構成の伝送ブロックサイズが周辺セル測定結果に関する全ての情報（例えば、ＲＡＣＨ測定結果のような品質及びタイミング情報）を前記メッセージに含むことのできるサイズであるか否かを判断する。前記既存のＰＲＡＣＨ構成の伝送ブロックサイズが前記メッセージ内に周辺セル測定結果に関する全ての情報を含むのに充分でない場合、ＵＥ２は、前記拡張されたＰＲＡＣＨ構成から１つを選択する。
【０１１５】
前記ＵＥ２は、段階Ｓ１０６で、前記選択されたＰＲＡＣＨ構成を利用して全ての構成要素を含む、伝送されるメッセージを生成する。前記選択されたＰＲＡＣＨ構成の伝送ブロックサイズが、前記メッセージに周辺セル測定結果に関する全ての情報を含むのに依然として充分でない場合、ＵＥ２は、段階Ｓ１０８で、前記選択されたＰＲＡＣＨ構成の伝送ブロックサイズに前記メッセージサイズを適用するために、前記メッセージに含まれた周辺セル測定結果に関する情報の量を減らす。
【０１１６】
ＦＤＤにおいて、ＵＥ２がさらなるトランスポートフォーマットや改善されたＥＣＣＣＨを使用できるようになると、使用可能なＰＲＡＣＨのＴＴＩを決定するためのアルゴリズムが影響を受ける。前記ＴＴＩは、図１３に示す方法１５０によって選択される。
【０１１７】
図１３に示すように、ＵＥ２は、段階Ｓ１５２で、前記使用可能なトランスポートフォーマットに基づいて１０ｍｓｅｃ．ＴＴＩを有するトランスポートフォーマットを選択する。１０ｍｓｅｃ．ＴＴＩを有して単一トランスポートフォーマットに該当するフォーマットは、全ての拡張ＰＲＡＣＨがサポートするトランスポートフォーマットから保護される。１つ以上の単一トランスポートフォーマットが適用可能である場合、ＵＥ２は、前記使用可能なフォーマットから１つを選択する。
【０１１８】
好ましくは、ＵＥ２は、次の伝送に使用されるトランスポートフォーマットを選択する。例えば、ＲＢ０／ＣＣＣＨの場合、次のメッセージが送信できる使用可能なＲＬＣサイズのうち最小のものを選択する。このような情報を利用できないか、又は、最大のＲＬＣサイズが次のメッセージを収容できる程大きくない場合、前記最大のＲＬＣサイズに該当するトランスポートフォーマットを選択する。
【０１１９】
段階Ｓ１５４で、ＵＥ２は、前記ＲＡＣＨで所定のトランスポートフォーマットを有する伝送ブロックセットを伝送するために必要な伝送電力を推定することにより電力マージンを計算する。前記計算に利用されるアルゴリズムは、３ＧＰＰ標準により明示され、他の入力パラメータのうち、ＴＴＩ、伝送ブロックサイズ、及び伝送される伝送ブロックの数を利用する。
【０１２０】
段階Ｓ１５６で、前記計算された電力マージンは６ｄＢと比較される。電力マージンが６ｄＢより大きい場合、段階Ｓ１５８で１０ｍｓｅｃ．ＴＴＩが選択され、６ｄＢより大きくない場合、段階Ｓ１６０で２０ｍｓｅｃ．ＴＴＩが選択される。
【０１２１】
電力マージンが計算された前記トランスポートフォーマットは、ＲＢ０／ＣＣＣＨメッセージが送信できる１０ｍｓｅｃ．ＴＴＩを有するトランスポートフォーマットを選択しなければならず、前記ＲＢ０／ＣＣＣＨメッセージが送信できる１０ｍｓｅｃ．ＴＴＩを有するトランスポートフォーマットが複数存在する場合、最小の伝送ブロックサイズを有するフォーマットを選択する。このようなトランスポートフォーマットが存在しない場合、１０ｍｓｅｃ．ＴＴＩの最大の伝送ブロックサイズを有するトランスポートフォーマットを選択する。
【０１２２】
１．２８  ＭＣＰＳ  ＴＤＤモードにおいて、ＵＥ２は、明確なシグナリングにより構成された伝送ブロックサイズを有するトランスポートフォーマットを選択する。ＳＲＢ０／ＣＣＣＨの場合、ＵＥ２は、ＳＲＢ０に対する次のメッセージの送信を可能にするトランスポートフォーマットを選択する。そのようなトランスポートフォーマットが存在しない場合、最大のサイズのトランスポートフォーマットを選択しなければならず、使用可能なトランスポートフォーマットが複数存在する場合、最小の伝送ブロックサイズを有するトランスポートフォーマットを選択しなければならない。このような伝送ブロックサイズを有するトランスポートフォーマットが複数存在する場合、ＵＥ２は、そのようなトランスポートフォーマットから最大のＴＴＩを選択しなければならない。
【０１２３】
使用可能なＰＲＡＣＨ構成を示す情報をＵＥ２に伝送するための方法は、新しい構成をサポートしないＵＥに影響を与えない方式で実行されなければならない。前記使用可能なＰＲＡＣＨ構成を示す情報は、複数のＵＥ２に伝送されるシステム情報の拡張として、例えば、図１４に示すように、共通チャネル上のブロードキャストメッセージの一部としてＵＥ２に伝送できる。それに対して、前記使用可能なＰＲＡＣＨ構成を示す情報は、図１５に示すように、専用チャネル上の専用ＲＲＣシグナリングにより伝送できる。
【０１２４】
図１４に示すように、現在の３ＧＰＰ標準によって使用可能な情報を含むメッセージの一部は、新しい構成をサポートするＵＥ２と新しい構成をサポートしないレガシーＵＥにより把握される。拡張情報に対する表示は、新しいＵＥ２によっては判読されるが、レガシーＵＥによっては無視される。前記使用可能なＰＲＡＣＨ構成を示す拡張情報は、前記新しい構成をサポートする新しいＵＥ２によってのみ把握される。
【０１２５】
図１５に示すように、前記使用可能なＰＲＡＣＨ構成を示す情報は、ＵＴＲＡＮ６とＵＥ２間の接続が設定されると、前記新しい構成をサポートする新しい特定ＵＥ２に伝送される。前記ＰＲＡＣＨ構成を示すために既存のＲＲＣ接続設定メッセージを利用する。
【０１２６】
ＵＥ２は、ＵＴＲＡＮ６にＲＲＣ接続要求メッセージを送信してＲＲＣ接続を要求する。ＲＲＣ接続が設定されると、ＵＴＲＡＮ６は、ＵＥ２にＲＲＣ接続設定メッセージを送信する。
【０１２７】
前記ＲＲＣ接続設定メッセージは、ＵＥが前記新しい構成をサポートする場合、前記使用可能なＰＲＡＣＨ構成に対する表示を含む。前記表示された使用可能なＰＲＡＣＨ構成は、既存のＰＲＡＣＨ構成のようなレガシー構成、及び前記定義された４つの実施形態を統合した前記拡張されたＰＲＡＣＨ構成のような１つ以上の予め定義された新しいＰＲＡＣＨ構成を含む。ＵＥ２が前記新しい構成をサポートしないレガシーＵＥである場合、前記ＲＲＣ接続設定メッセージには前記使用可能なＰＲＡＣＨ構成に対するいずれの表示も含まれない。
【０１２８】
ＲＲＣ接続設定メッセージを受信すると、ＵＥ２は、前記使用可能なＰＲＡＣＨ構成から１つを選択し、ＲＲＣ接続設定完了メッセージをＵＴＲＡＮ６に伝送する。ＵＥ２は、前記選択されたＰＲＡＣＨ構成を利用してＰＲＡＣＨでメッセージを送信できる。
【０１２９】
図１６を参照すると、本発明による移動通信装置２００のブロック図が図示されており、一例として、本発明の方法を実施する携帯電話が図示されている。前記移動通信装置２００は、マイクロプロセッサやデジタル信号プロセッサなどの処理部２１０と、ＲＦモジュール２３５と、電力管理モジュール２０５と、アンテナ２４０と、バッテリ２５５と、ディスプレイ２１５と、キーパッド２２０と、フラッシュメモリ、ＲＯＭ、又はＳＲＡＭなどの保存部２３０と、スピーカ２４５と、マイク２５０とを含む。
【０１３０】
ユーザは、キーパッド２２０のボタンを押すことにより、又は、マイク２５０のボイスアクティベーションにより、電話番号のような指示情報を入力する。前記処理部２１０は、前記指示情報を受信及び処理して前記電話番号の発信のような適切な機能を実行する。前記メモリユニット２３０から動作データが検索されて前記機能を実行する。また、前記処理部２１０は、ユーザの便宜のためにディスプレイ２１５に指示情報及び動作情報を表示する。
【０１３１】
前記処理部２１０は、前記ＲＦモジュール２３５に指示情報を登録し、音声通信データを含む無線信号を伝送することにより通信を開始する。前記ＲＦモジュール２３５は、受信器及び送信器を備えて無線信号を送受信する。前記アンテナ２４０は、前記無線信号の送受信を容易にする。無線信号を受信すると、前記ＲＦモジュール２３５は、前記処理部２１０が処理できるように前記無線信号をベースバンド周波数に伝送及び変換する。前記処理された信号は、スピーカ２４５などにより聴き取り又は読み出しできる情報出力に変形される。
【０１３２】
前記ＲＦモジュール２３５及びアンテナ２４０は、前記ネットワーク４から情報メッセージを受信して前記ネットワークにメッセージを送信し、前記保存部２３０は、１つ以上の構成に関する情報を保存する。前記処理部２１０は、メッセージ送信のための１つ以上の使用可能な構成を示す情報メッセージを処理し、前記使用可能な構成から１つを選択し、前記選択された構成を利用してメッセージを送信するために採択される。
【０１３３】
プロセッサ２１０又は他のデータあるいはデジタル処理処置を単独であるいは外部サポート論理と組み合わせて本発明の好ましい実施形態を実現できるということは当業者であれば明確に理解できるであろう。
【０１３４】
図１７は、本発明の一実施形態によるＵＴＲＡＮ３２０を示すブロック図である。ＵＴＲＡＮ３２０は、１つ以上の無線ネットワークサブシステム（ＲＮＳ）３２５から構成される。各ＲＮＳ３２５は、無線ネットワーク制御装置（ＲＮＣ）３２３と、前記ＲＮＣが管理する複数のＮｏｄｅ  Ｂ３２１又は基地局とから構成される。前記ＲＮＣ３２３は、無線リソースの割り当て及び管理を担当し、コアネットワーク４とのアクセスポイントの役割を果たす。また、ＲＮＣ３２３は、本発明の方法を行うために構成される。
【０１３５】
前記Ｎｏｄｅ  Ｂ３２１は、アップリンクで移動端末２００の物理チャネルにより伝送された情報を受信し、ダウンリンクで移動端末にデータを伝送する。前記Ｎｏｄｅ  Ｂ３２１は、送信器及び受信器であり、移動端末２００に対するＵＴＲＡＮ３２０のアクセスポイントの役割を果たす。
【０１３６】
前記Ｎｏｄｅ  Ｂ３２１は、１つ以上の移動端末２００に情報メッセージを送信し、１つ以上の移動端末からメッセージを受信するために構成される。前記ＲＮＣ３２３は、メッセージ送信のための１つ以上の使用可能な構成を示す情報メッセージを生成し、前記使用可能な構成のうち１つを利用して１つ以上の移動端末２００から送信されたメッセージを処理するために構成される。
【０１３７】
本発明は、拡張されたＰＲＡＣＨ構成を提供することにより、移動端末が現在サポートしているものより大きい伝送ブロックサイズを有するメッセージをＣＣＣＨでネットワークに伝送できるようにする。ネットワークにより移動端末に伝送された使用可能なＰＲＡＣＨ構成を示す既存のメッセージを活用することにより、拡張されたＰＲＡＣＨ構成をサポートする移動端末は、前記拡張された構成を利用し、前記拡張されたＰＲＡＣＨ構成をサポートしない移動端末は、既存の構成を利用する。
【０１３８】
本発明は、無線通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用できる。
【０１３９】
本実施形態は、ソフトウェア、ファームウェア、ハードウェア、又はこれらの組み合わせを生産するための標準プログラム及び／又はエンジニアリング技術を利用して製造方法、装置、又は製造物として実行できる。ここで、「製造物」という用語は、ハードウェアロジック（例えば、集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例えば、ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。
【０１４０】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空中を伝播する信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体も含むことができるという点を理解すると思われる。
【０１４１】
本発明の精神や重要な特性から外れないように多様な形態で本発明を実現することにより、前述した実施形態のいずれの細部の記載内容によっても限定されず、添付された請求範囲に定義されたように本発明の精神や範囲内で広範囲に解釈されるべきであることを認識しなければならず、本発明の技術的保護範囲は、添付された特許請求の範囲の技術的思想により決定されるべきである。
【図面の簡単な説明】
【０１４２】
発明の理解を容易にするために添付され、本明細書の一部を構成する図面は、発明の多様な実施形態を示し、明細書と共に発明の原理を説明するためのものである。
【図１】一般的なＵＭＴＳネットワーク構造を示すブロック図である。
【図２】従来の無線インタフェースプロトコルを示す図である。
【図３】従来の無線インタフェースプロトコルにおける他の論理チャネルを示す図である。
【図４】従来の無線インタフェースプロトコルにおいて移動端末の観点から見た論理チャネルとトランスポートチャネル間の可能なマッピングを示す図である。
【図５】従来の無線インタフェースプロトコルにおいてコアネットワークの観点から見た論理チャネルとトランスポートチャネル間の可能なマッピングを示す図である。
【図６】従来の移動端末のモードと状態間の可能な変化を示す図である。
【図７】ＨＳ−ＤＳＣＨトランスポートチャネルを除いた全てのトランスポートチャネルのために従来の無線インタフェースプロトコルにおいてＭＡＣヘッダに含まれたフィールドを示す図である。
【図８】従来のＲＡＣＨメッセージ構造を示す図である。
【図９】従来のＣＣＣＨに対するＲＲＣメッセージのＡＳＮ．１符号化を示す図である。
【図１０】ＣＣＣＨ論理チャネルにメッセージを送信する従来の方法を示す図である。
【図１１】ＦＤＤモードでメッセージ送信のためのＰＲＡＣＨを選択するためにＴＴＩの長さを選択する従来の方法を示す図である。
【図１２】本発明の一実施形態によるＣＣＣＨ論理チャネル上のメッセージ送信方法を示す図である。
【図１３】本発明の一実施形態によるＦＤＤモードでメッセージ送信のためのＰＲＡＣＨを選択するためにＴＴＩの長さを選択する方法を示す図である。
【図１４】本発明の一実施形態による複数の移動端末に送信されたメッセージを活用して利用可能なＰＲＡＣＨ構成の指示を伝送する方法を示す図である。
【図１５】本発明の一実施形態による特定移動端末に送信されたメッセージを活用して使用可能なＰＲＡＣＨ構成の指示を伝送する方法を示す図である。
【図１６】本発明の一実施形態による移動通信装置を示す図である。
【図１７】本発明の一実施形態によるネットワークを示す図である。
【図１】
2008501281.tif 000003
【図２】
2008501281.tif 000004
【図３】
2008501281.tif 000005
【図４】
2008501281.tif 000006
【図５】
2008501281.tif 000007
【図６】
2008501281.tif 000008
【図７】
2008501281.tif 000009
【図８】
2008501281.tif 000010
【図９】
2008501281.tif 000011
【図１０】
2008501281.tif 000012
【図１１】
2008501281.tif 000013
【図１２】
2008501281.tif 000014
【図１３】
2008501281.tif 000015
【図１４】
2008501281.tif 000016
【図１５】
2008501281.tif 000017
【図１６】
2008501281.tif 000018
【図１７】
2008501281.tif 000019
【国際調査報告】
2008501281.tif 000020
2008501281.tif 000021